(57)【要約】      （修正有）【課題】好みの位置にフリルやレースなどの装飾を取り付け固定して、着物地のよさを保ちながら視覚性、装飾性を高めた装飾着物を提供する。【解決手段】着物の一部を裁断して裁断部を形成し、裁断部にフリルを縫い合わせる。着物の一部を裁断して切出し部を形成し、切出し部にレースを縫い合わせたてもよい。着物の一部は、衿、おくみ、身頃、袖または裾から選択され得る。あるいは、衿の端縁、おくみの端縁、裾または袖口のいずれか１以上の部分にフリルを縫い合わせてもよい。または、帯の下端部にレースを縫い合わせてもよい。さらには、衿、おくみ、身頃、袖、裾または帯のいずれか１以上の部分をレースで形成してもよい。【選択図】図１
0003124351.tif 000002
【実用新案登録請求の範囲】
【請求項１】
着物の一部を裁断して裁断部を形成し、該裁断部にフリルを縫い合わせた装飾着物。
【請求項２】
前記着物の一部は、衿、おくみ、身頃、袖または裾から選択される請求項１に記載の装飾着物。
【請求項３】
着物の一部を裁断して切出し部を形成し、該切出し部にレースを縫い合わせた装飾着物。
【請求項４】
前記着物の一部は、衿、おくみ、身頃、袖または裾から選択される請求項３に記載の装飾着物。
【請求項５】
衿の端縁、おくみの端縁、裾または袖口のいずれか１以上の部分にフリルを縫い合わせた請求項１乃至４に記載の装飾着物。
【請求項６】
帯の下端部にレースを縫い合わせた請求項１乃至５に記載の装飾着物。
【請求項７】
衿、おくみ、身頃、袖、裾または帯のいずれか１以上の部分をレースで形成した請求項１乃至６に記載の装飾着物。
【請求項８】
後身頃と前身頃間の下半身部を裁断または開放してスリットを設け、該スリットを挟んだ該後身頃と該前身頃の端部にフリルを縫合した装飾着物。
【請求項９】
身頃の下半身部の上下に裁断を入れて裁断部を形成し、該裁断部を挟んだ該身頃の下半身部の両端にレースを縫合した装飾着物。
【考案の詳細な説明】
【技術分野】
【０００１】
本考案は、装飾性の高い着物に関するものである。
【背景技術】
【０００２】
着物には振袖、色無地、小紋、浴衣などがあり、用途に応じて使い分けられる。また、着物は一般に高価であるが、浴衣のように手軽に手に入るものも有る。
【０００３】
通常、着物は幅３８ｃｍ、長さ１２００ｃｍの反物を、例えば図１３のように裁断し、各部分を縫い合わせて作る。すなわち、図１３において、反物１から、袖１０を２枚、後身頃１２と前身頃１４を２枚、おくみ１６を２枚、掛け衿１８と衿２０を１枚ずつ、その他居敷当２２、肩当て２４などを裁断して縫い合わせ、図１４のような着物２を縫製する。
【０００４】
着物は日本古来の伝統的着衣であるが、生活様式の西洋化や着付けの煩雑さなどの理由から、近年ではあまり着用する人はいなくなっている。また、若者のファッションも多様化し、色とりどりのレース生地で形成された洋服や、フリルやリボン等を取り入れたファッション性豊かな服装が好まれるようになっている。
【０００５】
そこで着物にもフリルやレースなどの装飾を取り入れようという考案がなされている。特許文献１には、フリル又はレース又は古布を、両面テープを用いて浴衣・着物の衿や袖口に着脱可能に取りつけて装飾性を向上させた浴衣等が開示されている。しかしテープ等でフリルなどを着物に固定すると、着物の生地を傷めやすく糊などの汚れが落ちにくくなる。また、祭りなどの人ごみでは、せっかくの装飾も人との接触によって落とす場合が考えられる。
【０００６】
また、特許文献２には、着物をレース生地から製造する方法が開示されている。しかし、着物全体をレース生地から作るため、着物特有の気品や美しさが失われ、また、フリルなどの装飾部分の位置も固定されてしまう。
【０００７】
【特許文献１】実願２００４−５４１４号公報
【特許文献２】特開平６−１５８４０４号公報
【考案の開示】
【考案が解決しようとする課題】
【０００８】
そこで、本考案は、好みの位置にフリルやレースなどの装飾を取り付け固定して、着物地のよさを保ちながら視覚性、装飾性を高めた装飾着物を提供しようとする。
【課題を解決するための手段】
【０００９】
本考案の装飾着物は、着物の一部を裁断して裁断部を形成し、該裁断部にフリルを縫い合わせる。
【００１０】
本考案の装飾着物は、着物の一部を裁断して切出し部を形成し、該切出し部にレースを縫い合わせたてもよい。
【００１１】
本考案の装飾着物は、前記着物の一部は、衿、おくみ、身頃、袖または裾から選択され得る。
【００１２】
本考案の装飾着物は、衿の端縁、おくみの端縁、裾または袖口のいずれか１以上の部分にフリルを縫い合わせてもよい。
【００１３】
本考案の装飾着物は、帯の下端部にレースを縫い合わせてもよい。
【００１４】
本考案の装飾着物は、衿、おくみ、身頃、袖、裾または帯のいずれか１以上の部分をレースで形成してもよい。
【００１５】
本考案の装飾着物は、後身頃と前身頃間の下半身部を裁断または開放してスリットを設け、該スリットを挟んだ該後身頃と該前身頃の端部にフリルを縫合し得る。
【００１６】
本考案の装飾着物は、身頃の下半身部の上下に裁断を入れて裁断部を形成し、該裁断部を挟んだ該身頃の下半身部の両端にレースを縫合してもよい。
【考案の効果】
【００１７】
本考案によると、好みの位置にフリルやレースなどの装飾を縫合することによって、着物の視覚性、装飾性を高めた、ファッショナブルな着物を提供することができる。
【００１８】
また、本考案の装飾着物は、既製の着物にフリル等を縫合することができるので、反物から着物を縫製する必要がなく、安価に簡単に形成することができる。既製の着物と装飾の調和により、着物生地の格調を保ったままファッション性をも楽しむことができる。
【００１９】
フリルやレースなどを着物に縫合して固定するので、着脱式の装飾と異なり落とすことなく安心して着衣することができる。
【００２０】
さらに、本考案の装飾着物は、後身頃と前身頃の下半身部を開放してスリットを設けてそれぞれの端部にフリルを縫い付け、あるいは身頃の下半身部に裁断を入れて裁断部分に遊びを持たせてレースを縫い付けて形成することもできるので、従来の着物にはなかった機動性を生じさせることができるとともに、縫合したフリルまたはレースによってファッション性を高めることができる。
【考案を実施するための最良の形態】
【００２１】
本考案に係る装飾着物は、既製の着物または反物の一部を裁断して裁断部を形成し、当該裁断部にフリルを縫い合わせる。あるいは、裁断を行なわずに、単にフリルを着物に縫い合わせてもよい。
【００２２】
または、本考案の装飾着物は、既製の着物または反物の一部を裁断して切出し部を形成し、当該切出し部にレースを縫い合わせる。あるいは、最初から着物の一部をレースで形成してもよい。既製の着物の一部を切り出した部分及びレースで形成した当該着物の一部を、以下「切出し部」といい、また、本明細書においてフリルとは、幅の狭い布片やレースなどで、襞をとったりギャザーを寄せたりして波形にした飾縁及びリボン等をいうものとする。
【００２３】
本考案の装飾着物は、既販の浴衣などの着物の一部にフリルをミシンなどで縫い込んだり、着物の一部を裁断して裁断部を形成し、当該裁断部にフリルやレースを挟み込んで縫い付けて縫製する。あるいは着物の一部を切出し、切出し部にレースを縫い付けて縫製してもよい。なお、装飾着物は既販の着物から形成する必要はなく、上記のように反物を裁断し、レース生地などと縫い合わせて作ってもよい。
【００２４】
裁断部や切出し部は、衿、おくみ、身頃、袖または裾などに形成される。１つの着物に複数の裁断部や切出し部がそれぞれ形成されてもよい。
【００２５】
以下、本考案に係る装飾着物を図面を参照して説明するが、便宜のため以下の実施例においては、着物として浴衣を用いる。尚、図において共通の要素には同一の符号を用いる。
【実施例１】
【００２６】
図１は、衿の端縁２０２及びおくみの端縁１６２にフリルを縫い合わせた装飾着物５０を表す。既製の浴衣の衿の端縁２０２及びおくみの端縁１６２にフリルをミシンで縫い付けて形成する。フリルの色を選択し、フリルと同色の糸を使用してフリルを縫合することにより、縫目を目立てせなくすることができる。
【実施例２】
【００２７】
浴衣を裁断し、裁断部にフリルを縫い付けてもよい。本実施例は、裁断部が衿の一部である装飾着物を示す。
【００２８】
図２は、衿と前身頃との境界２０４及びおくみの端縁１６２にフリルを縫い合わせた装飾着物５２を表す。浴衣の衿と前身頃との境界２０４を衿２０に沿って裁断し、フリルを裁断部に挟んで縫い合わせる。おくみの端縁１６２にも上記実施例１と同様にフリルを縫い付けて装飾着物５２を縫製する。
【実施例３】
【００２９】
図３は、袖１０を裁断せずに、直接ギャザーを縫い付けた装飾着物５４を表す。袖１０を裁断し、ギャザーの代わりに通常のフリルを裁断部に縫合してもよい。
【実施例４】
【００３０】
本実施例は、裁断部が袖、身頃及びおくみの一部である装飾着物を示す。図４は、袖１０にフリルを縫合するとともに、前身頃１４とおくみ１６も裁断してフリルを縫いつけた装飾着物５６を表す。おくみ１６と前身頃１４に縫合されたフリルは、後身頃１２まで延逢されていてもよい。
【実施例５】
【００３１】
図５のように、後身頃１２と前身頃１４の下半身部を開放してスリットを設け、それぞれの端部にフリルを縫い付けてもよい。装飾着物５８のようにスリットを設けることにより、従来の着物にはなかった機動性を生じさせることができるとともに、スリット部に縫合したフリルによってファッション性を高めることができる。
【実施例６】
【００３２】
裁断部を裾の一部に設けてもよい。あるいは裾や袖口にフリルを直接縫い付けてもよい。図６は、袖口１０２、裾１３、帯２６にフリルを縫合した装飾着物６０を表す。胸にコサージュ等のアクセントを入れてもよい。
【実施例７】
【００３３】
本考案に係る装飾着物は、既製の着物の一部を切り出して、当該切出し部にレースを縫い合わせてもよい。あるいは、最初から着物の一部（切出し部）をレースで形成してもよい。
【００３４】
図７の装飾着物６２は、衿２０とおくみ１６を切出し部とし、当該部分をレースで形成した。
【実施例８】
【００３５】
レースとフリルとを組合わせて縫合してもよい。図８は、帯２６をレースで形成し、袖口１０２にフリルを縫い付けた装飾着物６０を表す。レース生地とフリルとを組合わせて用いることにより、装飾性をより高めることができる。
【実施例９】
【００３６】
レース地でつくる切出し部は、フリルを縫合する裁断部と異なり、大きくすることができる。例えば図９ａの装飾着物６６のように、袖１０の肘部から下半分と、裾１３から膝下の部分をレースで形成し、よりファッション性を高めることもできる。
【００３７】
あるいは図９ｂの装飾着物６７のように、帯２６上の上半身全体、即ち身頃１２、１４の上半身部、衿２０、袖１０をレースにより形成してもよい。より洋服に近い感覚で浴衣を着ることができる。
【実施例１０】
【００３８】
あるいは図１０のように、前身頃１４及び／または後身頃１２の下半身部に裁断を入れ、裁断部分に遊びを持たせてレースを縫い付けてもよい。装飾着物６８のように裁断部間に余裕を持たせることにより、従来の着物にはなかった動きやすさを生じさせることができるとともに、裁断部間に縫合したレースによってお洒落を楽しむことができる。
【００３９】
以上、本考案について実施例を用いて説明したが、本考案に係る装飾着物は上記実施例に限定されない。図１１ａ、図１１ｂのように、帯２６の下部にレース地を縫合してもお洒落な装飾着物７０、７１を作ることができる。レース地は帯下に軽く縫い付けるだけでもよく、レースに紐を縫い付けて帯下で結び、エプロンのように使用してもよい。いろいろな柄のレース生地を楽しむことができる。
【００４０】
あるいは図１２の装飾着物７２のように、衿２０やおくみ１６に沿って一部を切り出して、当該切出し部にレースを縫い合わせてもよい。このように、上記裁断部や切出し部は任意の位置であってよい。
【００４１】
また、上記実施例においては、着物として浴衣を用いて説明したが、本考案の装飾着物は浴衣に限定されない。すべての種類の和服着物を含むものとする。
【００４２】
また、本考案の装飾着物に縫い付けるフリルやレースの材料、形状、大きさは、特に限定されない。フリルには、襞をとったりギャザーを寄せたりして波形や蝶形等にした飾縁やリボンその他のデザインを含み、大きさ、生地も任意の種類が本願考案の範囲に含まれるものとする。
【００４３】
また、フリルやレース、着物の色・模様も限定されない。様々な色・模様・図形を自由に組合わせて、着物の装飾性、ファッション性を高めることができる。
【００４４】
その他、本考案は、洋服に対して用いられるあらゆる装飾法を応用することができ、その主旨を逸脱しない範囲で当業者の知識に基づき種々の改良、修正、変更を加えた態様で実施できるものである。
【図面の簡単な説明】
【００４５】
【図１】本考案の実施例１の装飾着物を表す正面図。
【図２】本考案の実施例２の装飾着物を表す正面図。
【図３】本考案の実施例３の装飾着物を表す正面図。
【図４】本考案の実施例４の装飾着物を表す正面図。
【図５】本考案の実施例５の装飾着物を表す正面図。
【図６】本考案の実施例６の装飾着物を表す正面図。
【図７】本考案の実施例７の装飾着物を表す正面図。
【図８】本考案の実施例８の装飾着物を表す正面図。
【図９ａ】本考案の実施例９の装飾着物を表す正面図。
【図９ｂ】本考案の実施例９の他の形態の装飾着物を表す正面図。
【図１０】本考案の実施例１０の装飾着物を表す正面図。
【図１１ａ】本考案のその他の形態の装飾着物を表す正面図。
【図１１ｂ】本考案の更にその他の形態の装飾着物を表す正面図。
【図１２】本考案の更にその他の形態の装飾着物を表す正面図。
【図１３】反物の裁断部分を表す平面図。
【図１４】従来の着物の正面図。
【符号の説明】
【００４６】
１：反物
２：着物
１０：袖
１０２：袖口
１２：後身頃
１３：裾
１４：前身頃
１６：おくみ
１６２：おくみの端縁
１８：掛衿
２０：衿
２０２：衿の端縁
２０４：衿と前身頃との境界
２２：居敷当
２４：肩当て
２６：帯
５０、５２、５４、５６、５８、５９、６０、６２、６４、６６、６７、６８、６９、７０、７２：本考案に係る装飾着物
【図１】
0003124351.tif 000003
【図２】
0003124351.tif 000004
【図３】
0003124351.tif 000005
【図４】
0003124351.tif 000006
【図５】
0003124351.tif 000007
【図６】
0003124351.tif 000008
【図７】
0003124351.tif 000009
【図８】
0003124351.tif 000010
【図９ａ】
0003124351.tif 000011
【図９ｂ】
0003124351.tif 000012
【図１０】
0003124351.tif 000013
【図１１ａ】
0003124351.tif 000014
【図１１ｂ】
0003124351.tif 000015
【図１２】
0003124351.tif 000016
【図１３】
0003124351.tif 000017
【図１４】
0003124351.tif 000018
【手続補正書】
【提出日】平成18年6月14日(2006.6.14)
【手続補正１】
【補正対象書類名】実用新案登録請求の範囲
【補正対象項目名】全文
【補正方法】変更
【補正の内容】
【実用新案登録請求の範囲】
【請求項１】
着物の一部を裁断して裁断部を形成し、該裁断部にフリルを縫い合わせた装飾着物。
【請求項２】
前記着物の一部は、衿、おくみ、身頃、袖または裾から選択される請求項１に記載の装飾着物。
【請求項３】
着物の一部を裁断して切出し部を形成し、該切出し部にレースを縫い合わせた装飾着物。
【請求項４】
前記着物の一部は、衿、おくみ、身頃、袖または裾から選択される請求項３に記載の装飾着物。
【請求項５】
衿の端縁、おくみの端縁、裾または袖口のいずれか１以上の部分にフリルを縫い合わせた請求項１乃至４のいずれか１項に記載の装飾着物。
【請求項６】
帯の下端部にレースを縫い合わせた請求項１乃至５のいずれか１項に記載の装飾着物。
【請求項７】
衿、おくみ、身頃、袖、裾または帯のいずれか１以上の部分をレースで形成した請求項１乃至６のいずれか１項に記載の装飾着物。
【請求項８】
後身頃と前身頃間の下半身部を裁断または開放してスリットを設け、該スリットを挟んだ該後身頃と該前身頃の端部にフリルを縫合した装飾着物。
【請求項９】
身頃の下半身部の上下に裁断を入れて裁断部を形成し、該裁断部を挟んだ該身頃の下半身部の両端にレースを縫合した装飾着物。